(57)【要約】      （修正有）【課題】書店などにおける書籍の外観を損なうことなく立ち読みを効果的に防止でき、立ち読み防止措置を書籍に対して施す際の作業性に優れ、比較的低コストで立ち読み防止措置をとることができる書店での「立ち読み防止ツール」を提供する。【解決手段】紙素材のテープ基盤１１からなり裏面に弱粘性の粘着層が形成され、表面に、書籍専用のテープが、表紙から裏表紙に小口を渡って、あるいは、表紙側の所定のページから裏表紙側の所定のページに、表紙側の所定のページから裏表紙に、又は、表紙から裏表紙側の所定のページに小口の一部を渡って貼り付けられる趣旨を書籍購入読者に告知する情報が配置されている書籍封緘用弱粘着性紙製テープ。粘着層は、表紙側から裏表紙側に向かう方向におけるテープ基盤の裏面の中央側の領域に形成され、テープ基盤の裏面の両端縁には形成されていない。【選択図】図１
2015215579.tif 000002
【特許請求の範囲】
【請求項１】
書籍の表紙から裏表紙に当該書籍の小口を渡って貼り付けられる紙素材のテープ基盤からなり、
前記テープ基盤の裏面に、前記表紙の端縁及び、前記裏表紙の端縁に貼り付けられる弱粘性の粘着層が形成され、
前記テープ基盤の表面に、書籍専用のテープが、前記表紙から前記裏表紙に前記小口を渡って貼り付けられる趣旨を書籍購入読者に告知する情報が配置され
ているテープであって、
前記粘着層は、前記テープ基盤が前記表紙から前記裏表紙に前記小口を渡って貼り付けられるときの前記表紙側から前記裏表紙側に向かう方向における前記テープ基盤の裏面の中央側の領域に形成され、当該中央側の領域の両側に位置する、前記表紙側から前記裏表紙側に向かう方向における前記テープ基盤の裏面の両端縁には前記粘着層が形成されていない
ことを特徴とする書籍封緘用弱粘着性紙製テープ。
【請求項２】
書籍の表紙側の所定のページから裏表紙側の所定のページ又は当該書籍の裏表紙に当該書籍の小口の一部を渡って貼り付けられる、あるいは、書籍の表紙から裏表紙側の所定のページに当該書籍の小口の一部を渡って貼り付けられる紙素材のテープ基盤からなり、
前記テープ基盤の裏面に、前記表紙側のページの端縁及び前記裏表紙側のページの端縁、又は、前記表紙側のページの端縁及び前記裏表紙の端縁、又は、前記表紙の端縁及び前記裏表紙側のページの端縁に貼り付けられる弱粘性の粘着層が形成され、
前記テープ基盤の表面に、書籍専用のテープが、前記小口の一部を渡って貼り付けられる趣旨を書籍購入読者に告知する情報が配置され
ているテープであって、
前記粘着層は、前記テープ基盤が前記小口の一部を渡って貼り付けられるときの前記表紙側から前記裏表紙側に向かう方向における前記テープ基盤の裏面の中央側の領域に形成され、当該中央側の領域の両側に位置する、前記表紙側から裏表紙側に向かう方向における前記テープ基盤の裏面の両端縁には前記粘着層が形成されていない
ことを特徴とする書籍封緘用弱粘着性紙製テープ。
【請求項３】
前記粘着層は、前記書籍本体の前記表紙及び前記裏表紙、前記表紙側のページ及び前記裏表紙側のページ、前記表紙側のページ及び前記裏表紙、又は、前記表紙及び前記裏表紙側のページに前記テープ基盤の裏面を直接貼り付けても前記表紙及び前記裏表紙、前記表紙側のページ及び前記裏表紙側のページ、前記表紙側のページ及び前記裏表紙、又は、前記表紙及び前記裏表紙側のページから剥がす際に前記表紙及び前記裏表紙、前記表紙側のページ及び前記裏表紙側のページ、前記表紙側のページ及び前記裏表紙、又は、前記表紙及び前記裏表紙側のページを傷つけ難く、前記表紙及び前記裏表紙、前記表紙側のページ及び前記裏表紙側のページ、前記表紙側のページ及び前記裏表紙、又は、前記表紙及び前記裏表紙側のページに糊残りが発生せず、なおかつ、貼り付けられている間に自然剥離が発生するおそれの少ない、書籍専門に調合された弱粘性の糊からなる
ことを特徴とする請求項１又は２記載の書籍封緘用弱粘着性紙製テープ。
【請求項４】
前記テープ基盤の前記紙素材は、古紙再生の障害にならない紙素材であることを特徴とする請求項１乃至３の何れか一項に記載の書籍封緘用弱粘着性紙製テープ。
【請求項５】
請求項１乃至４のいずれか一項記載の書籍封緘テープがロール状に巻かれて巻取りテープとなり、テープカッターを利用して、所望の長さに、簡単に切断可能であることを特徴とするロール状の書籍封緘用弱粘着性紙製テープ。
【発明の詳細な説明】
【技術分野】
【０００１】
この発明は、書籍の立ち読みを防止する目的で書籍の小口を封緘する書籍封緘用弱粘着性紙製テープに関する。
【背景技術】
【０００２】
書店等で販売される雑誌やコミック等、情報鮮度が優先される書籍が店頭で立ち読みされることは販売者にとって悩みの種である。
【０００３】
前記書籍の立ち読みを防止する手段として、シュリンク包装やＰＰ（ポリプロピレン）製の紐、袋による結束、包装が知られている。また、一部「弱粘シール」などのシール材を用いて書籍の小口を封緘する手法も知られている。
【０００４】
前記シュリンク包装の場合、包装を行うための装置への初期投資や包装材の費用が高額で、必要経費が高額となっている。
【０００５】
また、前記ＰＰ製の紐、袋による結束、包装の場合においても、包装材の消耗品としての経費が高額で、結束、包装の方法も手間がかかるものが多い。
【０００６】
前記弱粘シールを用いた書籍の小口を封緘する手法の場合においても、前記弱粘シールはシート形状であるため、経済性や作業性の観点において改善すべき点が多い。
【０００７】
その他市販の弱粘性テープもあるが粘着力が様々で扱いにくいばかりでなく、書籍購入読者にとって書籍に直接テープを張ることの理解も得られないことから、これらが書籍の小口止めテープとして採用されることはほとんど無いという現状である。
【０００８】
具体的には、前記弱粘シールはその形状、粘着力が様々で扱いにくい。粘着力が弱いものの場合、書籍の小口を封緘しても自然剥離することが見受けられる。また粘着力が弱くても時間経過と共に粘着力が強くなってしまうものや、粘着力そのものが強いものの場合には、書籍の小口を封緘した状態から前記弱粘シールを剥がす際に、前記書籍の表紙又は裏表紙の印刷部を剥ぎ取り傷つけることがある。また、前記弱粘シールを剥がせても前記書籍の表紙又は裏表紙に糊残りが出ることがある。
【０００９】
上記の他、前記シュリンク包装に用いられる包装材、前記ＰＰ製の紐や袋、前記弱粘シールは何れもＰＰや、塩化ビニル等の合成樹脂製であるため、結束、包装された書籍や小口が封緘された書籍を返品して古紙再生処理を行う際、これら合成樹脂が異物として混入することになり、古紙の品質に影響を及ぼすことも問題となっている。
【先行技術文献】
【特許文献】
【００１０】
【特許文献１】特開２００６−５８５２６号公報
【特許文献２】特開２００７−２４９１１９号公報
【発明の概要】
【発明が解決しようとする課題】
【００１１】
この発明は、書店などにおける書籍の外観を損なうことなく立ち読みを効果的に防止でき、なおかつ、立ち読みを防止するための措置を書籍に対して施す際の作業性に優れ、比較的低コストで立ち読み防止措置をとることができる、書店での「立ち読み防止ツール」を提供することを目的とする。
【課題を解決するための手段】
【００１２】
上記課題を解決するため、以下の発明を提案する。
【００１３】
請求項１の発明は、
書籍の表紙から裏表紙に当該書籍の小口を渡って貼り付けられる紙素材のテープ基盤からなり、
前記テープ基盤の裏面に、前記表紙の端縁及び、前記裏表紙の端縁に貼り付けられる弱粘性の粘着層が形成され、
前記テープ基盤の表面に、書籍専用のテープが、前記表紙から前記裏表紙に前記小口を渡って貼り付けられる趣旨を書籍購入読者に告知する情報が配置され
ているテープであって、
前記粘着層は、前記テープ基盤が前記表紙から前記裏表紙に前記小口を渡って貼り付けられるときの前記表紙側から前記裏表紙側に向かう方向における前記テープ基盤の裏面の中央側の領域に形成され、当該中央側の領域の両側に位置する、前記表紙側から前記裏表紙側に向かう方向における前記テープ基盤の裏面の両端縁には前記粘着層が形成されていない
ことを特徴とする書籍封緘用弱粘着性紙製テープ
である。
【００１４】
請求項２記載の発明は、
書籍の表紙側の所定のページから裏表紙側の所定のページ又は当該書籍の裏表紙に当該書籍の小口の一部を渡って貼り付けられる、あるいは、書籍の表紙から裏表紙側の所定のページに当該書籍の小口の一部を渡って貼り付けられる紙素材のテープ基盤からなり、
前記テープ基盤の裏面に、前記表紙側のページの端縁及び前記裏表紙側のページの端縁、又は、前記表紙側のページの端縁及び前記裏表紙の端縁、又は、前記表紙の端縁及び前記裏表紙側のページの端縁に貼り付けられる弱粘性の粘着層が形成され、
前記テープ基盤の表面に、書籍専用のテープが、前記小口の一部を渡って貼り付けられる趣旨を書籍購入読者に告知する情報が配置され
ているテープであって、
前記粘着層は、前記テープ基盤が前記小口の一部を渡って貼り付けられるときの前記表紙側から前記裏表紙側に向かう方向における前記テープ基盤の裏面の中央側の領域に形成され、当該中央側の領域の両側に位置する、前記表紙側から裏表紙側に向かう方向における前記テープ基盤の裏面の両端縁には前記粘着層が形成されていない
ことを特徴とする書籍封緘用弱粘着性紙製テープ
である。
【００１５】
請求項３記載の発明は、
前記粘着層は、前記書籍本体の前記表紙及び前記裏表紙、前記表紙側のページ及び前記裏表紙側のページ、前記表紙側のページ及び前記裏表紙、又は、前記表紙及び前記裏表紙側のページに前記テープ基盤の裏面を直接貼り付けても前記表紙及び前記裏表紙、前記表紙側のページ及び前記裏表紙側のページ、前記表紙側のページ及び前記裏表紙、又は、前記表紙及び前記裏表紙側のページから剥がす際に前記表紙及び前記裏表紙、前記表紙側のページ及び前記裏表紙側のページ、前記表紙側のページ及び前記裏表紙、又は、前記表紙及び前記裏表紙側のページを傷つけ難く、前記表紙及び前記裏表紙、前記表紙側のページ及び前記裏表紙側のページ、前記表紙側のページ及び前記裏表紙、又は、前記表紙及び前記裏表紙側のページに糊残りが発生せず、なおかつ、貼り付けられている間に自然剥離が発生するおそれの少ない、書籍専門に調合された弱粘性の糊からなる
ことを特徴とする請求項１又は２記載の書籍封緘用弱粘着性紙製テープ
である。
【００１６】
請求項４記載の発明は、
前記テープ基盤の前記紙素材は、古紙再生の障害にならない紙素材であることを特徴とする請求項１乃至３の何れか一項に記載の書籍封緘用弱粘着性紙製テープ
である。
【００１７】
請求項５記載の発明は、
請求項１乃至４のいずれか一項記載の書籍封緘テープがロール状に巻かれて巻取りテープとなり、テープカッターを利用して、所望の長さに、簡単に切断可能であることを特徴とするロール状の書籍封緘用弱粘着性紙製テープ
である。
【発明の効果】
【００１８】
この発明によれば、書店などにおける書籍の外観を損なうことなく立ち読みを効果的に防止でき、なおかつ、立ち読みを防止するための措置を書籍に対して施す際の作業性に優れ、比較的低コストで立ち読み防止措置をとることができる、書店での「立ち読み防止ツール」を提供することができる。
【００１９】
また、書店にとっては、書籍の内容全体が立ち読みされてしまうことを未然に防止することができ、その一方で、目次が掲載されているページのように、書籍購入読者の購入意欲喚起につながる情報が掲載されているページのみを選択して書籍購入読者に立ち読み可能な状態にし、書籍の販売につなげることが可能になる、書店での「立ち読み防止ツール」を提供することができ、この場合に、更に、書籍の外観や表紙、裏表紙のイメージを損なうことなく売り場に陳列することを可能にできる書店での「立ち読み防止ツール」を提供することができる。
【図面の簡単な説明】
【００２０】
【図１】本発明の書籍封緘用弱粘着性紙製テープの一例を表す平面図。
【図２】本発明のロール状書籍封緘用弱粘着性紙製テープの一例を表す図であって、（ａ）斜視図、（ｂ）側面図である。
【図３】（ａ）本発明の書籍封緘用弱粘着性紙製テープを用いて書籍を封緘した状態を表す図、（ｂ）封緘した部分の拡大図である。
【図４】（ａ）本発明の書籍封緘用弱粘着性紙製テープを用いて書籍の小口の一部を封緘した状態の一例を表す図、（ｂ）封緘した部分の拡大図、（ｃ）小口の一部を封緘した書籍を陳列した状態の一例を表す図である。
【発明を実施するための形態】
【００２１】
以下、添付図面を参照して本発明の実施形態を説明する。
【００２２】
本発明は、雑誌やコミック等、情報鮮度が優先される書籍の小口を封緘して、当該書籍の立ち読みを防止する書籍封緘用弱粘着性紙製テープである。なお、前記書籍には、前記雑誌やコミックの他、文庫本やムック本など書店で販売されるあらゆる書物が含まれる。
【００２３】
図１は、本発明の書籍封緘用弱粘着性紙製テープの一例を表す図である。
【００２４】
図示の書籍封緘用弱粘着性紙製テープ１は、書籍の表紙から裏表紙に当該書籍の小口を渡って貼り付けられる紙素材のテープ基盤１１からなる。以下、「書籍封緘用弱粘着性紙製テープ１」を「書籍封緘テープ１」と表すことがある。
【００２５】
テープ基盤１１の表面には、書籍専用のテープが、書籍の表紙から裏表紙に小口を渡って貼り付けられる趣旨を告知する情報が配置される。例えば、図１図示のように、「ＢＯＯＫシール」、「きれいに剥がせます。」等の文字情報が配置される。
【００２６】
これによって、書店などで書籍を購入、等すべく、探している人（書籍購入読者）は、書籍封緘テープ１が本に貼るための専用テープであることを理解し、書籍に書籍封緘テープ１を貼ることの趣旨を理解できるようになる。書籍の小口を書籍封緘テープで封緘する場合、当該書籍を目にした人（書籍購入読者）に抵抗感を与える場合もあり得るが、本発明によれば、このような抵抗感を抑えることができる。
【００２７】
本発明の書籍封緘テープ１のテープ基盤１１の裏面には、書籍の表紙の端縁及び、裏表紙の端縁に貼り付けられる弱粘性の粘着層が形成されている。
【００２８】
この粘着層は、書籍本体の表紙及び裏表紙にテープ基盤１１の裏面を直接貼り付けても表紙及び裏表紙から剥がす際に表紙及び裏表紙を傷つけ難く、表紙及び裏表紙に糊残りが発生せず、なおかつ、貼り付けられている間に自然剥離が発生するおそれの少ない、書籍専門に調合された弱粘性の糊から形成されている。
【００２９】
従来から、弱粘シールを用いて書籍の小口を封緘した場合、粘着力が様々で、粘着力が弱いものの場合、書籍の小口を封緘しても自然剥離し、粘着力が強いものの場合には、書籍の小口を封緘した状態から弱粘シールを剥がす際に、書籍の表紙や裏表紙を傷つけたり、書籍の表紙や裏表紙に糊残りが生じることがあった。
【００３０】
本発明の書籍封緘テープ１においてテープ基盤１１の裏面に形成されている、書籍の表紙の端縁及び、裏表紙の端縁に貼り付けられる弱粘性の粘着層は、書籍専門に調合された弱粘性の糊から形成されている。そこで、テープ基盤１１の裏面を前記粘着層を介して直接書籍に貼り付けても、書籍の表紙及び裏表紙から剥がす際に表紙及び裏表紙を傷つけ難く、表紙及び裏表紙に糊残りが発生せず、なおかつ、貼り付けられている間に自然剥離が発生するおそれの少ないものである。
【００３１】
本発明の書籍封緘テープ１においてテープ基盤１１の裏面に形成されている弱粘性の粘着層は、テープ基盤１１が、図３（ａ）、（ｂ）に例示されているように、書籍１３の表紙１３ａから裏表紙１３ｂに小口１３ｃを渡って貼り付けられるときの表紙１３ａ側から裏表紙１３ｂ側に向かう方向におけるテープ基盤１１の裏面の中央側の領域に形成されている。そして、図１に符号１２、１２で表している、当該中央側の領域の両側に位置する、表紙１３ａ側から裏表紙１３ｂ側に向かう方向におけるテープ基盤１１の裏面の両端縁には粘着層が形成されていない。
【００３２】
粘着層が、このように、テープ基盤１１の裏面の中央側の領域にのみ形成され、図１に符号１２、１２で表している、テープ基盤１１の裏面の両端縁に形成されていないことにより、本発明の書籍封緘テープ１を書籍の表紙から裏表紙に当該書籍の小口を渡って貼り付けている際に、書籍の表紙や裏表紙を傷つけてしまう可能性を極めて少なくすることができる。
【００３３】
従来の一般的な弱粘性粘着テープを用いた場合、書籍の表紙から裏表紙に当該書籍の小口を渡って貼り付けていると、顧客が直接書籍を手に取ることで発生する書籍の歪みとテープ自体の堅い端の「カッター効果」によって、書籍の表紙や裏表紙にテープ形状に添った切り込みが入ってしまうなどのトラブルが頻発することから、書籍封緘テープとしては適性を欠き実用に耐えなかった。
【００３４】
これに対して、本発明の書籍封緘テープ１では、粘着層が、テープ基盤１１の裏面の中央側の領域にのみ形成され、図１に符号１２、１２で表している、当該中央側の領域の両側に位置する、テープ基盤１１の裏面の両端縁に形成されていない。これにより、書籍の表紙から裏表紙に当該書籍の小口を渡って、図３図示のように、書籍封緘テープ１を貼り付けている状態で、「カッター効果」を減少せしめ、かつ購入後の顧客が書籍封緘テープ１を剥がす際にも爪で表紙を傷つけることなく容易に剥がすことができる。
【００３５】
本発明の書籍封緘テープ１におけるテープ基盤１１の前記紙素材は、古紙再生の障害にならない紙素材からなる。
【００３６】
シュリンク包装や、ポリプロピレンのような合成樹脂製の紐、袋などを用いて書籍を封緘、密封、等する従来の立ち読み防止手段の場合、これらが用いられている書籍を返品して古紙再生処理を行う際に、合成樹脂製のものが異物として混入することになり、問題になっていた。
【００３７】
本発明によれば、古紙再生の障害にならない紙素材からなるテープ基盤１１によって書籍封緘テープ１が構成されているので、このような問題が生じることは無い。
【００３８】
本発明の書籍封緘テープ１は、図２図示のように、ロール状に巻いて巻取りテープとし、従来、一般に使用されているテープカッターを利用して、所望の長さに、簡単に切断することができる。
【００３９】
これによって、使いやすい、ロール状書籍封緘テープ２として提供することができる。
【００４０】
本発明の書籍封緘テープ１は、図３に図示し、上述したように、書籍の表紙から裏表紙に当該書籍の小口を渡って貼り付けられる形態の他、図４図示のように、書籍の小口の一部にわたって貼り付けられる形態とすることもできる。図４図示の実施形態は、このような他の形態の中で、表紙側の所定のページから裏表紙側の所定のページに当該書籍の小口の一部に渡って貼り付けられる形態の一例を表すものである。
【００４１】
図４図示の形態では、書籍１３の表紙１３ｂ側の所定のページ１３ｅから裏表紙１３ａ側の所定のページ１３ｄに、書籍１３の小口の一部を渡って書籍封緘テープ１が貼り付けられ、「書籍の一部小口止め」の状態となっている。そして、書籍１３の小口は、書籍封緘テープ１によって封緘されている部分１３ｆと封緘されていない部分１３ｃ、１３ｇとに分離されている。
【００４２】
図示の実施形態では、表紙１３ｂ側では符号１３ｃで示されているページのみが封緘されていない状態になっているが、表紙側で複数ページが封緘されていない状態にして、例えば、目次が掲載されているページが封緘されていないようにすることができる。
【００４３】
また、図示の実施形態では、裏表紙１３ａ側では符号１３ｇで示されている複数のページ（例えば、発行所などに関する情報が掲載されているページだけでなく、執筆者に関する情報や、執筆者による他の著作に関する情報が掲載されているページなど）が封緘されていない状態になっているが、裏表紙１３ａ側では、奥付のように、発行所などに関する情報が掲載されているページのみが封緘されていない状態にすることもできる。
【００４４】
この「書籍の一部小口止め」によって、書店などで書籍を購入、等すべく、探している人（書籍購入読者）は、書籍１３の本文を全て読むことはできないが、封緘されていない部分（例えば、目次が掲載されているページや、奥付など）を読むことはできる。
【００４５】
また、テープ基盤１１の表面には、書籍専用のテープが、書籍の表紙側の所定のページから裏表紙側の所定のページに小口の一部を渡って貼り付けられる趣旨を告知する上述した情報「ＢＯＯＫシール」、「きれいに剥がせます。」等の文字情報が配置されているので、前記書籍購入読者は、書籍封緘テープ１が本に貼るための専用テープであることを理解し、書籍１３に書籍封緘テープ１を貼ることの趣旨を理解することができる。
【００４６】
そこで、書店側からすれば、書籍１３の全面立ち読みを防止することができる。一方、書籍購入読者は、小口の封緘されていない部分（目次が掲載されているページや奥付など）を読んで書籍１３の内容を確認、理解でき、書籍１３を安心して購入することができる。
【００４７】
すなわち、書店にとっては、書籍１３の内容全体が立ち読みされてしまうことを未然に防止することができ、その一方で、目次が掲載されているページのように、書籍購入読者の購入意欲喚起につながる情報が掲載されているページのみを選択して書籍購入読者に立ち読み可能な状態にし、書籍の販売につなげることが可能になる。
【００４８】
また、前記「書籍の一部小口止め」によって、図４（ｃ）図示のように、書籍１３の外観や表紙、裏表紙のイメージを損なうことなく売り場に陳列することができる。
【００４９】
このような書籍封緘テープ１の実施形態「書籍の一部小口止め」とすることで、書籍の外観を損なうことなく、書籍の全内容についての立ち読みを効果的に防止できると共に、書籍購入読者の書籍購買欲の増進を期待することができる。
【００５０】
図４図示の実施形態においては、書籍１３の表紙１３ｂ側の所定のページ１３ｅから裏表紙１３ａ側の所定のページ１３ｄに、書籍１３の小口の一部を渡って書籍封緘テープ１が貼り付けられている「書籍の一部小口止め」を説明した。
【００５１】
これに替えて、書籍１３の表紙１３ｂ側の所定のページ１３ｅから裏表紙１３ａに書籍１３の小口の一部を渡って書籍封緘テープ１が貼り付けられている「書籍の一部小口止め」、あるいは、書籍１３の表紙１３ｂから裏表紙１３ａ側の所定のページ１３ｄに書籍１３の小口の一部を渡って書籍封緘テープ１が貼り付けられている「書籍の一部小口止め」とすることもできる。
【００５２】
いずれにしても、書籍１３の内容全体が立ち読みされてしまうことを未然に防止する一方で、書籍購入読者の書籍購買欲の増進に役立つと思われるページのみが封緘されていない状態になるように小口の一部を封緘することで、書籍の全内容についての立ち読みを効果的に防止できると共に、書籍購入読者の書籍購買欲の増進を期待することができる。
【００５３】
図４図示の実施形態は、上述したように、「書籍の一部小口止め」にできる点に特徴があり、その他の点については、図１〜図３を用いて説明したものと同様であるので、その他の点についての説明は省略する。
【００５４】
以上の通り、本発明の書籍封緘テープ１は、従来使用されているシュリンク包装に用いられる包装材、ＰＰ製の紐や袋と比較して、包装、結束の手間や消耗品としての経費を削減することができる点で、作業性や経済性に優れている。
【００５５】
本発明によれば、書籍の立ち読みを防止する措置を採る際の初期投資や経費などのコストを抑え、従来、一般に使用されているテープカッターを利用して、所望の長さに、簡単に切断して貼り付けるだけでよいので、短時間で簡単に行うことができる。そこで、初期投資や経費を抑えることができるだけでなく、人件費も抑えることができ、最適な「立ち読み防止ツール」を提供することができる。
【００５６】
以上、添付図面を参照して本発明の好ましい実施形態を説明したが本発明は係る実施形態に限定されるものではなく、特許請求の範囲の記載から把握される技術的範囲において種々の形態に変更可能である。
【符号の説明】
【００５７】
１  書籍封緘用弱粘着性紙製テープ
２  ロール状書籍封緘用弱粘着性紙製テープ
１１  テープ基盤
１２  裏面に粘着層が形成されていないテープ基盤の両端縁の領域
１３  書籍 
１３ｂ  書籍の表紙
１３ａ  書籍の裏表紙
１３ｃ  書籍の封緘されていないページ
１３ｄ  書籍の裏表紙側のページ
１３ｅ  書籍の裏表紙側のページ
１３ｆ  一部の小口が封緘されている部分
１３ｇ  書籍の封緘されていないページ
【図４】
2015215579.tif 000003
【図１】
2015215579.tif 000004
【図２】
2015215579.tif 000005
【図３】
2015215579.tif 000006